(57)【要約】　　　（修正有）【課題】製造コストが低く、位置決め或いは緩衝装置を設けられ、取りつけとネットの配線も便利であって、床板の敷設高さが割合に低い事務所用建物に適して使用される多機能ネット架空フリーアクセス床を提供する。【解決手段】鋼製フリーアクセス床１と連結器によって構成し、その特徴は床板１二枚を若干のサポートで支え、各床板の周辺に肩３を設け、床板１の四角にそれぞれ穴１９を設け、床板１二枚の間に辺蓋板４を置き、辺蓋板４の両端と床板１二枚の角と間にそれぞれ四角とも内凹み角の持った四角形の角蓋板５を設け、サポート２毎の下端をそれぞれ角底板６の凹み穴７に置き、サポート２の上部が床板１の角部を支え、床板１角部とサポート２の上端を連結件で連結し、角蓋板５と辺蓋板４及び床板１の上表面が同じ水平面に保持され、床板１の側面に発泡コンクリートで充填した穴１２二つを設けるものである。【選択図】　　図１
0003100169.tif 000002
【実用新案登録請求の範囲】
【請求項１】
　鋼製フリーアクセス床（１）と連結器によって構成し、二枚の床板（１）を若干サポートで据え、各床板の側面に肩（３）を設け、床板（１）の四角にそれぞれの穴（１９）を設け、二枚の床板（１）間に辺蓋板（４）を置き、辺蓋板（４）の両端と二枚の床板（１）の角との間にそれぞれ四角とも凹み角を持った四角形の角蓋板（５）を設け、サポート（２）毎の下端をそれぞれ角底板（６）の凹み穴（７）に置き、サポート（２）の上部が床板（１）の角部を支え、床板（１）の角部とサポート（２）の上端を連結器で連結し、角蓋板（５）と辺蓋板（４）及び床板（１）上表面が同じ水平面に保持され、床板（１）の側面に発泡コンクリートで充填した穴（１２）二つを設けることを特徴とする多機能ネット架空フリーアクセス床。
【請求項２】
　辺蓋板（４）と角蓋板（５）の下表面とも若干の強化筋（１６）を設け、その上表面とも若干の凹み溝（８）を設けることを特徴とする請求項１に記載の多機能ネット架空フリーアクセス床。
【請求項３】
　床板（１）の上表面に若干の凹み溝（１７）を設けることを特徴とする請求項１に記載の多機能ネット架空フリーアクセス床。
【請求項４】
　サポート（２）の構成が外ねじ山の持ったスクリュー（９）の下端と支柱（１０）を連結し、支柱（１０）を角底板（６）上の凹み穴（７）に挿して置き、合致した調節ナット（１１）をスクリュー（９）の上に被せて置き、合致した固定ナット（１８）を調節ナット（１１）の上とスクリュー（９）の外に被せて置き、固定ナット（１８）の外にスリーブ（２０）を被せて置き、スリーブ（２０）を床板（１）の角の穴（１９）に置き、穴（１９）の上に飾り蓋（２１）を置くことを特徴とする請求項１に記載の多機能ネット架空フリーアクセス床。
【請求項５】
　床板（１）の上に設けた若干の凹み溝（１３）とよく合致して用いる若干の凸柱（１４）を角蓋板（５）の下表面に設けることを特徴とする請求項１に記載の多機能ネット架空フリーアクセス床。
【請求項６】
　角蓋板（５）の側面四つに、溝（１５）を設けることを特徴とする請求項１に記載の多機能ネット架空フリーアクセス床。
【請求項７】
　床板（１）の肩（３）に若干の凹み溝（１３）を設けることを特徴とする請求項１に記載の多機能ネット架空フリーアクセス床。
【請求項８】
　角底板（６）に支柱（１０）の置いた若干の凹み穴（７）を設けることを特徴とする請求項１に記載の多機能ネット架空フリーアクセス床。
【請求項９】
　角底板（６）の上表面に若干の凹み溝（１７）を設けることを特徴とする請求項１に記載の多機能ネット架空フリーアクセス床。
【請求項１０】
　床板（１）の四角に階段（２２）を設け、穴（１９）を階段（２２）の上に設けることを特徴とする請求項１に記載の多機能ネット架空フリーアクセス床。
【請求項１１】
　角底板（６）に凸塊（２３）を二つ以上設け、凸塊（２３）と線樋（２５）との間に曲げた連結板（２４）を設けることを特徴とする請求項１に記載の多機能ネット架空フリーアクセス床。
【請求項１２】
　角底板（６）の間に線樋（２５）を挿し、線樋（２５）の両端部の両側に小さい凹み穴（２６）を設けることを特徴とする請求項１に記載の多機能ネット架空フリーアクセス床。
【請求項１３】
　角蓋板（５）の下に橋板（２７）を連結することを特徴とする請求項１に記載の多機能ネット架空フリーアクセス床。
【請求項１４】
　辺蓋板（４）に電気コンセント（２９）を設けることを特徴とする請求項１に記載の多機能ネット架空フリーアクセス床。
【請求項１５】
　辺蓋板（４）に換気溝あるいは穴（２８）を設けることを特徴とする請求項１に記載の多機能ネット架空フリーアクセス床。
【請求項１６】
　各金属部品の間に緩衝材を設けることを特徴とする請求項１に記載の多機能ネット架空フリーアクセス床。
【考案の詳細な説明】
【技術分野】
【０００１】
　本考案は、建築飾り材料の分野の、多機能ネット架空フリーアクセス床に関する。
【背景技術】
【０００２】
　これまでに世界のマーケットに広く販売され、事務所用建物に使用された静電気防止の鋼製フリーアクセス床は、全て一面に若干の凹み穴を持ち、もう一面には平面の鋼製構成中に発泡コンクリートで充填した鋼製フリーアクセス床である。
【考案の開示】
【考案が解決しようとする課題】
【０００３】
　このようなフリーアクセス床は、製造コストが高く、床板の下に配線が便利であるが、取りつける時に専門の技術者を要るなどの欠点がある。
【０００４】
　本考案の目的は、製造コストが低く、位置決め或いは緩衝装置を設けられ、取りつけとネットの配線も便利であって、床板の敷設高さが割合に低い事務所用建物に適して使用される多機能ネット架空フリーアクセス床を提供することにある。
【課題を解決するための手段】
【０００５】
　本考案の技術構想は、伝統的な鋼製フリーアクセス床の構成を改良し、この床板の周辺に肩を設け、各床板の隣接するところに隙間が保留され、その隙間は様々なネット回路の手配に使われ、隙間の上部と床板二枚の肩の上に辺蓋板と角蓋板を置き、床板と辺蓋板及び角蓋板の上表面は同じ水平面に保持され、床板底面の四角に凹んだ階段を設け、床板と辺蓋板と角蓋板との合致を強化するため、床板の肩の上及び側壁に若干の凹み溝を設け、辺蓋板と角蓋板の下表面及び辺蓋板の側面にそれぞれの凹み溝に合致して使用した凸柱を設け、床板と辺蓋板と角蓋板との間の逃げ回りを防止でき、そのための位置決めの役に立ち、角蓋板の四角は内凹み角であって、角底板の下表面と四角の周辺にそれぞれ若干の凸塊を設け、角底板の間に線樋を設け、線樋の両端はそれぞれ角底板の上に挿し込まれ、しかも「Ｌ」型の曲げた連結板で線樋と凸塊との間に挿し込まれ、同時に曲げた連結板の両端部にそれぞれ小さい凸塊一枚を設け、それは線樋頭部の小さい凹み穴に合致し、線樋と角底板の連結をつけ、連結は確実であって、便利である。
【０００６】
　角蓋板の下に橋板を連結でき、床底面の凹んだ階段の部分と角蓋板はサポートで支えられ、サポートを地面の角底板の上に置き、角底板の上に若干の柱を設け、柱毎の中に凹み穴一つがあって、その中に支柱を置き、支柱の上部はスクリューであって、スクリューの上に調節ナットを被せて置き、調節ナットの上とスクリューの外に固定ナットを置き、固定ナットの外にスリーブを被せ、しかもそれを床板のねじ穴中に被せて置き、またねじ穴の上部に飾り蓋を設けることができる。
【０００７】
　スクリューの外に被せて置いた調節ナットと固定ナットの調節によって、床板と地面の取りつけの高さを調整できる。
【０００８】
　そのほか角底板の取り入れのため、床板と角蓋板及び辺蓋板の位置決めはさらに良くなり、また辺蓋板に電気コンセントを設けることもできるため、辺蓋板の上に換気溝或いは穴を必要があれば設けることもでき、さらに便利になる。
【０００９】
　床板の強さなどのほかの機能を強めるために、辺蓋板と角蓋板の裏面に強化筋を設けると良い。
【００１０】
　また、本考案の金属部品の間に緩衝材を設け、しかも辺蓋板と角蓋板の表面に若干凹み溝を設け、床板の表面にも凹み溝を設けると、それらはスリーブと連結する役に立ち、床板の取りつけが終ってから、緩衝の効果があって、有効的に床板全体システムの拡がりを防止できる。
【００１１】
　また、橋板の使用は床板下のネット回線の交差に対して便利である。
【００１２】
　サポートの高さが調整できるため、この床板は高さが４０ｍｍ以下の場所に敷設できる。
【００１３】
　本考案は次の特徴がある。すなわち多機能であって、任意に組み合わせることができ、蓋板の下に線樋を設け、配線が便利であって、蓋板と角蓋板をあけてから、すぐ配線でき、コンセントと回線の出口は勝手に手配でき、床板の移動の必要がなく、床板底部の四角は階段の構成であって、サポートとねじとナットとの構成は位置置きの役をなし、床板取りつけの高さの調節機能を持ち、ロット製造と取りつけ面に便利であって、飾り性と実用性は両方良く、床板の高さは４０ｍｍ以下までに調整でき、取りつけは便利であって、取りつけする時に専門の技術者が要らなく、取りつけてから有効的に床板全体システムの拡がりを防止し、重さが軽い、使う寿命が長いなどの特徴がある。
【考案を実施するための最良の形態】
【００１４】
　本考案の好適な実施の形態の例を、図面を参照して以下に説明する。
【００１５】
　図に示す多機能ネット架空フリーアクセス床は、鋼製フリーアクセス床（１）と連結器によって構成し、その特徴は床板（１）二枚を若干のサポートで支え、各床板の周辺に肩（３）を設け、床板（１）の四角にそれぞれ穴（１９）を設け、床板（１）二枚の間に辺蓋板（４）を置き、辺蓋板（４）の両端と床板（１）二枚の角と間にそれぞれ四角とも内凹み角の持った四角形の角蓋板（５）を設け、サポート（２）毎の下端をそれぞれ角底板（６）の凹み穴（７）に置き、サポート（２）の上部が床板（１）の角部を支え、床板（１）角部とサポート（２）の上端を連結件で連結し、角蓋板（５）と辺蓋板（４）及び床板（１）の上表面が同じ水平面に保持され、床板（１）の側面に発泡コンクリートで充填した穴（１２）二つを設けるものである。
【００１６】
　辺蓋板（４）と角蓋板（５）の下表面とも若干強化筋（１６）を設け、その上表面とも若干の凹み溝（８）を設ける。
【００１７】
　床板（１）上表面に若干の凹み溝（１７）を設ける。
【００１８】
　サポート（２）の構成は、外ねじ山を持ったスクリュー（９）の下端と支柱（１０）を連結し、支柱（１０）を角底板（６）上の凹み穴（７）に挿して置き、合致した調節ナット（１１）をスクリュー（１９）の上に被せて置き、合致した固定ナット（１８）を調節ナット（１１）の上とスクリュー（１９）の外に被せて置き、固定ナット（１８）の外にスリーブ（２０）を被せて置き、スリーブ（２０）を床板（１）の角の穴（１９）に置き、穴（１９）の上に飾り蓋（２１）を置く。
【００１９】
　床板（１）の上に設けた若干の凹み溝（１３）とよく合致して使用した若干の凸柱（１４）を角蓋板（５）の下表面に設ける。
【００２０】
　角蓋板（５）の側面の四つに溝（１５）を設ける。
【００２１】
　床板（１）の肩（３）に若干の凹み溝（１３）を設ける。
【００２２】
　角底板（６）に支柱（１０）の置いた若干の凹み穴（７）を設ける。
【００２３】
　角底板（６）の上表面に若干の凹み溝（１７）を設ける。
【００２４】
　床板（１）の四角に階段（２２）を設け、穴（１９）を階段（２２）の上に設ける。
【００２５】
　角底板（６）に凸塊（２３）を二つ以上設け、凸塊（２３）と線樋（２５）との間に曲げた連結板（２４）を設ける。
【００２６】
　角底板（６）の間に線樋（２５）を挿し、線樋（２５）の両端部の両側に小さい凹み穴（２６）を設ける。
【００２７】
　角蓋板（５）の下に橋板（２７）を連結する。
【００２８】
　辺蓋板（４）に電気コンセント（２９）を設けることができる。
【００２９】
　辺蓋板（４）に換気溝或いは穴（２８）を設けることができる。
【００３０】
　各金属件の間に緩衝材を設けることができる。
【図面の簡単な説明】
【００３１】
【図１】本考案の底面図
【図２】本考案の上面図
【図３】本考案の左側面図
【図４】本考案の正面図
【図５】本考案の右側面図
【図６】本考案の床板とサポ−トの連結の断面図
【図７】本考案の角底板の底面図
【図８】本考案の角底板の正面図
【図９】本考案の辺蓋板の上面図
【図１０】本考案の辺蓋板の側面図
【図１１】本考案の角蓋板の上面図
【図１２】本考案の角蓋板の側面図
【符号の説明】
【００３２】
　１　　床板
　２　　サポート
　３　　肩
　４　　辺蓋板
　５　　角蓋板
　６　　角底板
　７　　凹み穴
　１２　穴
【図１】
0003100169.tif 000003
【図２】
0003100169.tif 000004
【図３】
0003100169.tif 000005
【図４】
0003100169.tif 000006
【図５】
0003100169.tif 000007
【図６】
0003100169.tif 000008
【図７】
0003100169.tif 000009
【図８】
0003100169.tif 000010
【図９】
0003100169.tif 000011
【図１０】
0003100169.tif 000012
【図１１】
0003100169.tif 000013
【図１２】
0003100169.tif 000014